(57)【要約】【課題】記録媒体を確実に転写位置に案内することのできながら、記録媒体との摺擦に対する摩耗耐久性を備えるドラムカートリッジを提供すること。【解決手段】  二層フィルム５５は、可撓性を有し、感光ドラム１７に向かって延びる用紙案内補助部６０と、用紙案内補助部６０の案内方向下流端から連続して屈曲し、ニップ部４８側へ向かって延びる用紙後端支持部６１とを有する折り曲げフィルム５６と、可撓性を有し、用紙案内補助部６０と接触し、感光ドラム１７に向かって延びるストレートフィルム５７とを備え、ストレートフィルム５７の後端（案内方向下流端）は、用紙案内補助部６０の後端（案内方向下流端）よりも、後方（案内方向下流側）も配置されている。【選択図】図４
2014056084.tif 000002
【特許請求の範囲】
【請求項１】
現像剤像を担持するように構成される感光ドラムと、
前記現像剤像が転写されるための記録媒体を前記感光ドラムへ向けて案内する案内部材と
を備え、
前記案内部材は、
可撓性を有し、前記感光ドラムに向かって延び、前記記録媒体を案内する案内面を備える第１案内部材と、
可撓性を有し、前記第１案内部材の前記案内面と反対側の面と接触し、前記第１案内部材を支持する第２案内部材と
を備え、
前記第２案内部材は、
前記感光ドラムに向かって延び、前記反対側の面と接触される第１部分と、
前記第１部分の前記案内方向下流端から連続して屈曲し、前記感光ドラムにおける前記現像剤像の転写位置側へ向かって延びる第２部分と
を備え、
前記第１案内部材の前記案内方向下流端は、前記第１部分の前記案内方向下流端よりも、前記案内方向下流側に配置されていることを特徴とする、ドラムカートリッジ。
【請求項２】
前記第１案内部材の前記案内方向下流端は、前記第２部分の前記案内方向下流端よりも、前記案内方向上流側に配置されていることを特徴する、請求項１に記載のドラムカートリッジ。
【請求項３】
前記第１案内部材は、前記第２案内部材よりも薄いことを特徴とする、請求項１または２に記載のドラムカートリッジ。
【請求項４】
フレームと、
前記フレームから突出し、前記第１案内部材および前記第２案内部材と嵌合可能に構成される突起と
を備え、
前記第１案内部材および前記第２案内部材は、前記突起と嵌合することによって固定されることを特徴とする請求項１ないし３のいずれか一項に記載のドラムカートリッジ。
【請求項５】
前記第１案内部材は、前記第１部分に貼付されることによって前記第１部分に対して固定されることを特徴とする請求項１ないし３のいずれか一項に記載のドラムカートリッジ。 
【発明の詳細な説明】
【技術分野】
【０００１】
本発明は、電子写真方式が採用される画像形成装置に備えられるドラムカートリッジに関する。
【背景技術】
【０００２】
電子写真方式の画像形成装置として、トナー像を担持する感光ドラムと、その感光ドラムに対向する転写ローラとを備え、用紙の先端を、まず感光ドラム側に接触させ、感光ドラムの回転により、感光ドラムと転写ローラとの間に案内し、その用紙にトナー像を転写するプリンタが知られている。
【０００３】
具体的には、感光ドラムにおける回転方向上流側に対して、用紙を案内するためのフィルム部材を備えるプロセスカートリッジが提案されている（例えば、特許文献１参照）。
【０００４】
また、感光ドラムにおける回転方向上流側に対して、用紙を案内することができながら、転写位置に向かって折れ曲がるように形成される折り曲げフィルムを用いるプロセスカートリッジが提案されている（例えば、特許文献２参照）。
【先行技術文献】
【特許文献】
【０００５】
【特許文献１】特開２００５−１２８４８２号公報
【特許文献２】特開２００８−２９７０４４号公報
【発明の概要】
【発明が解決しようとする課題】
【０００６】
しかるに、上記した特許文献１に記載のプロセスカートリッジでは、印字速度を速くするために用紙の搬送速度を上昇させることや、短時間で確実に用紙にトナー像を転写するために、転写電流を増加させることが検討される場合がある。この場合、用紙後端がフィルム部材から落ちたときの放電痕（後端乱れ）が用紙に顕著に現れる不具合が発生しやすくなる。
【０００７】
この点、特許文献２に記載のプロセスカートリッジのように、折り曲げフィルムを用いれば、転写位置の直前まで用紙を案内することができるので、用紙の後端がフィルムから落ちにくくなり、放電痕の発生を抑制することができる。
【０００８】
しかし、特許文献２に記載のプロセスカートリッジでは、フィルムを折り曲げていることによって、その折り曲げ部に用紙が繰り返し摺擦されることによって、その折り曲げ部が擦り切れるという不具合を生じる場合がある。
【０００９】
そこで、本発明の目的は、記録媒体を確実に転写位置に案内することのできながら、記録媒体との摺擦に対する摩耗耐久性を備えるドラムカートリッジを提供することにある。
【課題を解決するための手段】
【００１０】
（１）上記した目的を達成するために、本発明のドラムカートリッジは、現像剤像を担持するように構成される感光ドラムと、現像剤像が転写されるための記録媒体を感光ドラムへ向けて案内する案内部材とを備えている。
【００１１】
案内部材は、可撓性を有し、感光ドラムに向かって延び、記録媒体を案内する案内面を備える第１案内部材と、可撓性を有し、第１案内部材の案内面と反対側の面と接触し、第１案内部材を支持する第２案内部材とを備えている。
【００１２】
第２案内部材は、感光ドラムに向かって延び、反対側の面と接触される第１部分と、第１部分の案内方向下流端から連続して屈曲し、感光ドラムにおける現像剤像の転写位置側へ向かって延びる第２部分とを備え、第１案内部材の案内方向下流端は、第１部分の案内方向下流端よりも、案内方向下流側に配置されている。
【００１３】
このような構成によれば、第１案内部材は、第２案内部材の第１部分と接触した状態で、案内面によって、記録媒体を感光ドラムに向けて案内し、記録媒体は、その先端が感光ドラムに当接されてから、転写位置へと搬送される。そのようにして搬送された記録媒体の後端は、案内面から離間された後、転写位置側へ屈曲する第２案内部材の第２部分に接触され、転写位置付近まで搬送される。
【００１４】
そのため、記録媒体を感光ドラムに向けて案内することができ、第２案内部材の第２部分によって、転写位置の直前まで案内することができる。また、感光ドラムに向かって延びる第１案内部材によって、第２案内部材の第１部分と第２部分との連続部分が記録媒体と摺擦されることを抑制することができる。
【００１５】
その結果、記録媒体を確実に転写位置に案内することのできながら、記録媒体との摺擦に対する摩耗耐久性を確保することができる。
（２）また、第１案内部材の案内方向下流端は、第２部分の案内方向下流端よりも、案内方向上流側に配置されていてもよい。
【００１６】
このような構成によれば、第２案内部材の第２部分の案内方向下流端は、第１案内部材の案内方向下流端よりも案内方向下流側に配置される。
【００１７】
そのため、記録媒体が、案内方向に沿って搬送され第１案内部材から離間したときに、記録媒体の後端が、第２部分よりも第１案内部材の反対側に向かうことを、第２部分と接触することで、防止することができる。
【００１８】
その結果、記録媒体を、感光ドラムに向けて案内することができながら、第２案内部材の第２部分によって、転写位置の直前まで確実に案内することができる。
（３）また、第１案内部材は、第２案内部材よりも薄くてもよい。
【００１９】
このような構成によれば、案内部材は、第１案内部材と第２案内部材とから構成されているので、一方を薄く形成することができる。
【００２０】
例えば、第１案内部材のみで、記録媒体を案内する場合には、第１案内部材に記録媒体を支持するために十分な強度を持たせる必要がある。
【００２１】
この場合、第１案内部材の案内方向下流端の角と、記録媒体とが当接することによる異音が発生する場合がある。
【００２２】
しかし、第１案内部材を第２案内部材よりも薄くすることで、第１案内部材は、第２案内部材よりも、高い可撓性を有する。
【００２３】
それにより、第１案内部材がより撓むことにより、記録媒体と第１案内部材の案内方向下流端の角との当接を抑制することができ、記録媒体と第１案内部材の角との当接による異音の発生を抑制することができる。
（４）また、フレームと、フレームから突出し、第１案内部材および第２案内部材と嵌合可能に構成される突起とを備え、第１案内部材および第２案内部材は、突起と嵌合することによって固定されてもよい。
【００２４】
このような構成によれば、フレームから突出する突起によって、第１案内部材および第２案内部材を固定することができる。
【００２５】
そのため、第１案内部材および第２案内部材に対して、突起を係合させるという簡易な構成により、第１案内部材および第２案内部材をフレームに対して精度よく位置決めすることができる。
（５）また、第１案内部材は、第１部分に貼付されることによって第１部分に対して固定されてもよい。
【００２６】
このような構成によれば、貼付するという簡易な構成により、第１案内部材を第２案内部材の第１部分に対して固定することができる。
【発明の効果】
【００２７】
本発明のドラムカートリッジによれば、記録媒体を確実に転写位置に案内することのできながら、記録媒体との摺擦に対する摩耗耐久性を確保することができる。
【図面の簡単な説明】
【００２８】
【図１】図１は、プリンタの一実施形態を示す断面図である。
【図２】図２は、図１に示すドラムカートリッジの左上側から見た斜視図である。
【図３】図３は、図１に示すドラムカートリッジの左側から見た断面図である。
【図４】図４は、図３に示す用紙の搬送を説明するための説明図であって、（ａ）は、用紙の先端が感光ドラムに接触された状態を示し、（ｂ）は、用紙の搬送途中の状態を示し、（ｃ）は、用紙の後端が用紙案内面から離間し、用紙後端支持部に接触された状態を示す。
【図５】図５は、第２実施形態におけるドラムカートリッジの左側から見た断面図である。
【発明を実施するための形態】
【００２９】
１．プリンタの全体構成
図１に示すように、プリンタ１は、略ボックス形状の本体ケーシング２を備えている。
【００３０】
また、プリンタ１は、本体ケーシング２内において、記録媒体の一例としての用紙Ｐを給紙するための給紙部３と、給紙された用紙Ｐに画像を形成するための画像形成部４とを備えている。
（１）本体ケーシング
本体ケーシング２は、プロセスカートリッジ１３（後述）を着脱させるためのフロントカバー５を備えている。フロントカバー５は、本体ケーシング２に対して下端部を支点として揺動自在に設けられている。
【００３１】
なお、以下の説明において、プリンタ１の方向に言及するときには、プリンタ１を水平に載置した状態を上下の基準とする。すなわち、図１の紙面上側が上側（第１方向（上下方向）一方側）であり、紙面下側が下側（第１方向（上下方向）他方側）である。また、フロントカバー５が設けられる側（図１における紙面右側）を前側（第２方向（前後方向）一方側）とし、その反対側（図１における紙面左側）を後側（第２方向（前後方向）他方側）とする。また、プリンタ１を前側から見たときを左右の基準とする。すなわち、図１の紙面手前側が左側（第３方向（左右方向）一方側）であり、紙面奥側が右側（第３方向（左右方向）他方側）である。
（２）給紙部
給紙部３は、本体ケーシング２の下部に設けられている。給紙部３は、用紙Ｐを収容する給紙トレイ６と、給紙トレイ６の前端部の上方に設けられるピックアップローラ７と、ピックアップローラ７の前側において互いに対向配置される分離ローラ８および分離パッド９とを備えている。
【００３２】
また、給紙部３は、分離パッド９の上方において、互いに対向配置される前後１対の給紙ローラ１０と、両給紙ローラ１０の対向部分から略後上側に延びる給紙パス１１と、給紙パス１１の後方に配置される本体側レジストローラ２０とを備えている。
【００３３】
給紙トレイ６内には、用紙Ｐがスタックされており、その最上位にある用紙Ｐは、ピックアップローラ７の回転によって分離ローラ８と分離パッド９との対向部分へ供給され、それらによって１枚ごとに捌かれる。
【００３４】
その後、用紙Ｐは、両給紙ローラ１０の搬送により、給紙パス１１を通過し、本体側レジストローラ２０とプロセス側レジストローラ２１（後述）との間へ搬送される。
【００３５】
そして、用紙Ｐは、給紙開口部６７（後述）を介して、プロセスカートリッジ１３内に搬送され、現像カートリッジ１６の後下側端部と、ドラムカートリッジ１５の用紙搬送ガイド４４（後述）との間を通過するように、所定のタイミングで、感光ドラム１７（後述）と転写ローラ１９（後述）との間に向けて搬送される。
【００３６】
なお、上記した給紙部３とは別に、用紙Ｐを排紙パス２７（後述）から、本体側レジストローラ２０とプロセス側レジストローラ２１（後述）との間へ戻す（図１中の一点鎖線参照）用紙反転機構が設けられており、両面印刷が可能となっている。
（３）画像形成部
画像形成部４は、スキャナユニット１２と、プロセスカートリッジ１３と、定着ユニット１４とを備えている。
（３−１）スキャナユニット
スキャナユニット１２は、本体ケーシング２の上部に配置されている。スキャナユニット１２は、実線で示すように、感光ドラム１７（後述）に向けて、画像データに基づいて、レーザービームを出射し、感光ドラム１７（後述）を露光する。
（３−２）プロセスカートリッジ
（３−２−１）プロセスカートリッジの構成
プロセスカートリッジ１３は、本体ケーシング２内において、スキャナユニット１２の下方、かつ給紙部３の上方に着脱自在に収容され、ドラムカートリッジ１５と、ドラムカートリッジ１５に着脱可能に装着される現像カートリッジ１６とを備えている。
【００３７】
ドラムカートリッジ１５は、感光ドラム１７と、スコロトロン型帯電器１８とドラムクリーニングローラ３８と、転写ローラ１９とを備えている。
【００３８】
感光ドラム１７は、ドラムカートリッジ１５の後端部において、左右方向に沿うように設けられている。
【００３９】
スコロトロン型帯電器１８は、感光ドラム１７の上側において、感光ドラム１７と間隔を隔てて対向配置されている。
【００４０】
ドラムクリーニングローラ３８は、感光ドラム１７の後上側に対向配置され、感光ドラム１７に後上側から接触されている。
【００４１】
転写ローラ１９は、感光ドラム１７の下側に対向配置され、感光ドラム１７に下側から圧接されている。
【００４２】
また、ドラムカートリッジ１５は、プロセス側レジストローラ２１を備えている。
【００４３】
プロセス側レジストローラ２１は、ドラムカートリッジ１５の前後方向略中央の下端部において、本体側レジストローラ２０に上側から接触されるように、設けられている。
【００４４】
現像カートリッジ１６は、現像ローラ２２を備えている。
【００４５】
現像ローラ２２は、現像カートリッジ１６の後端部において、後側から露出されるように回転可能に支持されており、感光ドラム１７に対して前側から圧接されている。
【００４６】
なお、現像カートリッジ１６は、現像ローラ２２にトナーを供給する供給ローラ２３、現像ローラ２２に供給されたトナーの厚みを規制する層厚規制ブレード２４を備え、それらの前方の空間には、トナーが収容されている。
（３−２−３）プロセスカートリッジにおける現像動作
現像カートリッジ１６内のトナーは、供給ローラ２３に供給され、さらに、現像ローラ２２に供給され、供給ローラ２３と現像ローラ２２との間で正極性に摩擦帯電される。
【００４７】
現像ローラ２２に供給されたトナーは、現像ローラ２２の回転に伴って、層厚規制ブレード２４によって厚さが規制され、一定厚さの薄層として現像ローラ２２の表面に担持される。
【００４８】
一方、感光ドラム１７の表面は、感光ドラム１７の回転に伴って、スコロトロン型帯電器１８により一様に正帯電された後、スキャナユニット１２からのレーザービーム（図１実線参照。）の高速走査により露光される。これにより、用紙Ｐに形成すべき画像に対応した静電潜像が感光ドラム１７の表面に形成される。
【００４９】
感光ドラム１７がさらに回転すると、現像ローラ２２の表面に担持され、かつ、正帯電されているトナーが、感光ドラム１７の表面に形成されている静電潜像に供給される。これにより、感光ドラム１７の静電潜像は可視像化され、感光ドラム１７の表面には、反転現像によるトナー像（現像剤像の一例）が担持される。
【００５０】
そして、感光ドラム１７と転写ローラ１９との間に搬送された用紙Ｐが、感光ドラム１７と転写ローラ１９との間のニップ部４８（転写位置の一例）を通過するときに、感光ドラム１７に担持されているトナー像が、用紙Ｐに転写される。
（３−３）定着ユニット
定着ユニット１４は、プロセスカートリッジ１３の後方に配置され、加熱ローラ２５、および加熱ローラ２５に対向する加圧ローラ２６を備えている。プロセスカートリッジ１３において、用紙Ｐに転写されたトナー像は、用紙Ｐが加熱ローラ２５と加圧ローラ２６との間を通過する間に、加熱および加圧されることによって用紙Ｐに熱定着される。
（４）排紙
トナー像が定着した用紙Ｐは、Ｕターンパスからなる排紙パス２７を通過して、排紙ローラ２８に向けて搬送され、排紙ローラ２８によって、スキャナユニット１２の上方に設けられる排紙トレイ２９上に排紙される。
２．ドラムカートリッジの詳細
ドラムカートリッジ１５は、図２および図３に示すように、略矩形枠形状に形成されており、フレームの一例としてのドラムフレーム３０を備えている。
【００５１】
ドラムフレーム３０は、左右１対の側壁３１と、前壁３２と、上壁３３と、下壁３４とを備えている。
【００５２】
両側壁３１は、上下前後方向に延びる側面視略矩形状に形成されている。両側壁３１には、ドラム軸挿通穴３５（図２参照）と、現像ローラ案内部３６と、現像ローラ支持溝３７とを備えている。
【００５３】
ドラム軸挿通穴３５は、図２に示すように、側壁３１の後端部において、左右方向に沿って貫通され、感光ドラム１７のドラム軸４６を受け入れ可能な側面視略円形状に形成されている。
【００５４】
現像ローラ案内部３６は、図２および図３に示すように、側壁３１の前後方向略中央部分において、側壁３１の上端縁から下方に向かって切り欠かれるように、上側が開放される側面視略Ｖ字状に形成されている。
【００５５】
現像ローラ支持溝３７は、現像ローラ案内部３６の下側後端部から連続して切り欠かれるように、後方に向かって延びる側面視略矩形状に形成されている。なお、現像ローラ支持溝３７の後端部は、ドラム軸挿通穴３５の前方に間隔を隔てて配置されている。
【００５６】
前壁３２は、上下左右方向に延び、両側壁３１の前端部間に架設される正面視略矩形状に形成されている。また、前壁３２には、その左右方向略中央部分において、プロセスカートリッジ１３を本体ケーシング２に対して装着または離脱させるときに把持する取っ手３９を備えている。
【００５７】
上壁３３は、前後左右に延び、両側壁３１の後側部分における後上端部間に架設される平面視略矩形状に形成され、感光ドラム１７を上方および前方から被覆するように設けられている。また、上壁３３は、ドラムクリーニングローラ保持部４０と、帯電器支持部４１とを備えている。
【００５８】
ドラムクリーニングローラ保持部４０は、前下側が開放された略ボックス形状に形成されている。
【００５９】
帯電器支持部４１は、ドラムクリーニングローラ保持部４０の前上側端部から連続して、前側に向かって延びる略厚板形状に形成されており、その前後方向略中央部分が、下側へ向かって開放される側断面略コ字状に形成されている。
【００６０】
下壁３４は、前後左右に延び、両側壁３１の下端部間に架設される平面視略矩形状に形成されている。また、下壁３４は、転写ローラ１９を収容するための転写ローラ収容部４３と、用紙搬送ガイド４４と、現像カートリッジ１６を装着するための現像カートリッジ支持部４２とを備えている。
【００６１】
転写ローラ収容部４３は、図３に示すように、ドラムフレーム３０の後端部に設けられている。転写ローラ収容部４３は、その後端部が、ドラムクリーニングローラ保持部４０の前下側端部の前下側に間隔を隔てており、転写ローラ１９の周面に沿うように下側に向かって膨出する側断面視略Ｕ字状に形成されている。
【００６２】
用紙搬送ガイド４４は、後端部が、転写ローラ収容部４３の前端部から連続され、前下方に向かって延びる略平板形状に形成されている。用紙搬送ガイド４４には、複数（４つ）の嵌合突起５０が、一体的に形成されている。
【００６３】
複数の嵌合突起５０は、図２および図４に示すように、左右方向に間隔を隔てて複数配置され、用紙搬送ガイド４４に一体的に形成されており、用紙搬送ガイド４４の前後方向略中央部分における前上側面から、前方に向かって突出形成されている。嵌合突起５０は、用紙搬送ガイド４４の上面に対して二層フィルム５５（後述）を係止可能に形成されている。
【００６４】
また、用紙搬送ガイド４４には、図４に示すように、案内部材の一例としての二層フィルム５５が設けられている。
【００６５】
二層フィルム５５は、第２案内部材の一例としての折り曲げフィルム５６と、第１案内部材の一例としてのストレートフィルム５７とを備えている。
【００６６】
折り曲げフィルム５６は、可撓性の樹脂フィルムからなり、左右方向に長く形成されている。折り曲げフィルム５６は、第１部分の一例としての用紙案内補助部６０と、第２部分の一例としての用紙後端支持部６１とを備えている。
【００６７】
用紙案内補助部６０は、用紙搬送ガイド４４の後側部分における上面を覆い、感光ドラム１７に向かって後上方に延びるように配置されている。用紙案内補助部６０には、複数（４つ）の第１嵌合穴６２が形成されている。
【００６８】
複数の第１嵌合穴６２は、上下方向に投影したときに、複数の嵌合突起５０と重なるように、左右方向に間隔を隔てて配置されている。第１嵌合穴６２は、平面視略矩形状に貫通形成されている。
【００６９】
用紙後端支持部６１は、用紙案内補助部６０の後端部から連続して、転写ローラ１９に向かって後下方に延びるように形成されている。すなわち、用紙後端支持部６１は、用紙案内補助部６０の後端部から連続して、ニップ部４８側へ向かって屈曲するように形成されている。用紙後端支持部６１の後端部は、ニップ部４８に対して、前後方向に間隔を隔てて対向している。
【００７０】
ストレートフィルム５７は、折り曲げフィルム５６よりも薄手の可撓性の樹脂フィルムからなり、左右方向に長く形成され、用紙案内補助部６０の上面と接触されている。ストレートフィルム５７の後端部は、用紙案内補助部６０の後端部よりも感光ドラム１７に向かって後上方に向かって延び、かつ、用紙後端支持部６１の後端部よりも前方に配置されるように形成されている。また、ストレートフィルム５７には、複数（４つ）の第２嵌合穴６４が形成されている。
【００７１】
複数の第２嵌合穴６４は、上下方向に投影したときに、複数の嵌合突起５０と重なるように、左右方向に間隔を隔てて配置されている。第２嵌合穴６４は、平面視略矩形状に貫通形成されている。
【００７２】
なお、ストレートフィルム５７の上面は、用紙案内面６３（案内面の一例）として区画されている。すなわち、ストレートフィルム５７は、用紙案内面６３と反対側の面が、折り曲げフィルム５６の用紙案内補助部６０と接触している。
【００７３】
そして、二層フィルム５５は、折り曲げフィルム５６とストレートフィルム５７とが重なり、複数の嵌合穴（第１嵌合穴６２および第２嵌合穴６４）に対応する嵌合突起５０が嵌合されることにより、用紙搬送ガイド４４に固定されている。
【００７４】
現像カートリッジ支持部４２は、図２および図３に示すように、用紙搬送ガイド４４の前側に配置されている。現像カートリッジ支持部４２は、その後端部が用紙搬送ガイド４４の前上側に間隔を隔てており、その前端部が前壁３２の下端部に連結される略平板形状に形成されている。現像カートリッジ支持部４２には、プロセス側レジストローラ収容部４７が形成されている。
【００７５】
プロセス側レジストローラ収容部４７は、現像カートリッジ支持部４２の前後方向略中央部分において、プロセス側レジストローラ２１の周面に沿うように上側に向かって膨出する側断面視略Ｕ字状に形成されている。
【００７６】
そして、ドラムフレーム３０では、図３に示すように、両側壁３１と、下壁３４の用紙搬送ガイド４４の前端部と、下壁３４の現像カートリッジ支持部４２の後端部との間の開口領域が、ニップ部４８に用紙Ｐを給紙する給紙開口部６７として区画されている。また、両側壁３１と、下壁３４の転写ローラ収容部４３の後端部と、上壁３３のドラムクリーニングローラ保持部４０の前下側端部との間の開口領域が、ニップ部４８から用紙Ｐが排紙される排紙開口部６８として区画されている。
【００７７】
また、ドラムカートリッジ１５は、上記したように、感光ドラム１７と、スコロトロン型帯電器１８と、ドラムクリーニングローラ３８と、転写ローラ１９と、プロセス側レジストローラ２１とを備えている。
【００７８】
感光ドラム１７は、そのドラム軸４６の左右方向両端部が、両側壁３１のドラム軸挿通穴３５に、左右方向内側から回転自在に挿通されることにより、ドラムカートリッジ１５に回転自在（左側面視時計回り）に設けられている（図２参照）。
【００７９】
スコロトロン型帯電器１８は、上壁３３の帯電器支持部４１に嵌め込まれるようにして支持され、感光ドラム１７の上側において、感光ドラム１７と間隔を隔てて対向配置されている。
【００８０】
ドラムクリーニングローラ３８は、左右方向に沿って延び、上壁３３のドラムクリーニングローラ保持部４０において、回転自在に支持され、その前下側部分が露出されるようにして、感光ドラム１７に対して後上側から接触されている。
【００８１】
転写ローラ１９は、左右方向に沿って延び、転写ローラ収容部４３内において、回転自在（左側面視半時計回り）に支持されて、その上側部分が露出されるようにして、感光ドラム１７に対して下側から接触されている。
【００８２】
プロセス側レジストローラ２１は、左右方向に沿って延びて、下壁３４のプロセス側レジストローラ収容部４７において、回転自在に支持されている。
【００８３】
なお、ドラムカートリッジ１５において、両側壁３１、現像カートリッジ支持部４２、用紙搬送ガイド４４、前壁３２および感光ドラム１７によって、現像カートリッジ１６を装着するための現像カートリッジ装着部４５が区画される。
【００８４】
現像カートリッジ１６は、現像カートリッジ装着部４５に着脱自在に装着される（図１参照）。
３．用紙の搬送
用紙Ｐは、上記したように、給紙トレイ６から所定のタイミングで１枚ずつ、画像形成部４のプロセスカートリッジ１３に給紙される。
【００８５】
これにより、用紙Ｐは、図３に示すように、その先端が、前側から後側に向かって、給紙開口部６７を通過し、図４（ａ）に示すように、二層フィルム５５のストレートフィルム５７の用紙案内面６３に沿って、感光ドラム１７に接触されるように案内される。
【００８６】
感光ドラム１７に接触された用紙Ｐは、図４（ｂ）に示すように、感光ドラム１７の回転（左側面視時計回り）に沿って、ニップ部４８に向かって案内される。そして、用紙Ｐには、ニップ部４８でトナー像が転写されることによって、画像が形成される。このとき、用紙Ｐは、感光ドラム１７および転写ローラ１９の回転によって、ニップ部４８に向かって引っ張られるので、ストレートフィルム５７の後端部を下方へ湾曲させるようにして、搬送される。
【００８７】
その後、用紙Ｐは、図３に示すように、さらに後側に向かって、排紙開口部６８を通過し、加熱ローラ２５と加圧ローラ２６との間に向かって搬送される（図１参照）。
【００８８】
一方、用紙Ｐの後端は、図４（ｃ）に示すように、用紙Ｐが後側に向かう搬送途中において、用紙案内面６３から離間された後、用紙後端支持部６１に接触され、用紙後端支持部６１に沿って、ニップ部４８に案内される。
５．作用効果
（１）このドラムカートリッジ１５によれば、図４に示すように、ストレートフィルム５７は、折り曲げフィルム５６の用紙案内補助部６０と接触した状態で、用紙案内面６３によって、用紙Ｐを感光ドラム１７に向けて案内し、用紙Ｐは、その先端が感光ドラム１７に当接されてから、ニップ部４８へと搬送される。そのようにして搬送された用紙Ｐの後端は、用紙案内面６３から離間された後、ニップ部４８側へ屈曲する折り曲げフィルム５６の用紙後端支持部６１に接触され、ニップ部４８付近まで搬送される。
【００８９】
そのため、用紙Ｐを感光ドラム１７に向けて案内することができ、折り曲げフィルム５６の用紙後端支持部６１によって、ニップ部４８の直前まで案内することができる。また、感光ドラム１７に向かって延びるストレートフィルム５７によって、折り曲げフィルム５６の用紙案内補助部６０と用紙後端支持部６１との連続部分が用紙Ｐと摺擦されることを抑制することができる。
【００９０】
その結果、用紙Ｐを確実にニップ部４８に案内することのできながら、用紙Ｐとの摺擦に対する摩耗耐久性を確保することができる。
（２）また、このドラムカートリッジ１５によれば、図４に示すように、折り曲げフィルム５６の用紙後端支持部６１の後端部（案内方向下流端）は、ストレートフィルム５７の後端部（案内方向下流端）よりも後方（案内方向下流側）に配置される。
【００９１】
そのため、用紙Ｐが、ニップ部４８に向けて搬送され、ストレートフィルム５７から離間したときに、用紙Ｐの後端が、勢いよく下方に落ちることを、用紙後端支持部６１と接触することで、防止することができる。
【００９２】
その結果、用紙Ｐを、感光ドラム１７に向けて案内することができながら、折り曲げフィルム５６の用紙後端支持部６１によって、ニップ部４８の直前まで確実に案内することができる。
（３）また、このドラムカートリッジ１５によれば、図４に示すように、二層フィルム５５は、ストレートフィルム５７と折り曲げフィルム５６とから構成されているので、一方を薄く形成することができる。
【００９３】
例えば、ストレートフィルム５７のみで、用紙Ｐを案内する場合には、ストレートフィルム５７に用紙Ｐを支持するために十分な強度を持たせる必要がある。
【００９４】
この場合、ストレートフィルム５７の後端縁（案内方向下流端）の角と、用紙Ｐとが当接することによる異音が発生する場合がある。
【００９５】
しかし、ストレートフィルム５７を折り曲げフィルム５６よりも薄くすることで、ストレートフィルム５７は、折り曲げフィルム５６よりも、高い可撓性を有する。
【００９６】
それにより、ストレートフィルム５７がより撓むことにより、用紙Ｐとストレートフィルム５７の後端縁の角との当接を抑制することができ、用紙Ｐとストレートフィルム５７の角との当接による異音の発生を抑制することができる。
（４）また、このドラムカートリッジ１５によれば、図４に示すように、ドラムフレーム３０の用紙搬送ガイド４４から突出する嵌合突起５０によって、ストレートフィルム５７および折り曲げフィルム５６を固定することができる。
【００９７】
そのため、ストレートフィルム５７および折り曲げフィルム５６に対して、嵌合突起５０を係合させるという簡易な構成により、ストレートフィルム５７および折り曲げフィルム５６をフレームに対して精度よく位置決めすることができる。
６．第２実施形態
図５を参照して、ドラムカートリッジの第２実施形態を説明する。なお、第２実施形態において、上記した第１実施形態と同様の部材には同様の符号を付し、その説明を省略する。
【００９８】
上記した第１実施形態では、二層フィルム５５は、折り曲げフィルム５６とストレートフィルム５７とが重なり、複数の嵌合穴（第１嵌合穴６２および第２嵌合穴６４）に対応する嵌合突起５０が嵌合されることにより、用紙搬送ガイド４４に固定されている（図４参照）。
【００９９】
これに対して、本発明の第２実施形態では、複数の嵌合穴（第１嵌合穴６２および第２嵌合穴６４）と、対応する嵌合突起５０が形成されておらず、折り曲げフィルム５６とストレートフィルム５７とが、接着剤などにより接着（貼付）され、二層フィルム５５が構成される。そして、二層フィルム５５と用紙搬送ガイド４４の上面とが、接着剤などにより接着（貼付）されている。
【０１００】
第２実施形態によれば、図５に示すように、ストレートフィルム５７を用紙案内補助部６０に接着剤などにより接着（貼付）するという簡易な構成により、ストレートフィルム５７を折り曲げフィルム５６の用紙案内補助部６０に対して固定することができる。
【０１０１】
また、第２実施形態においても、上記した第１実施形態と同様の作用効果を得ることができる。
【符号の説明】
【０１０２】
１５    ドラムカートリッジ
１７    感光ドラム
４８    ニップ部
５５    二層フィルム
５６    折り曲げフィルム
５７    ストレートフィルム
６０    用紙案内補助部
６１    用紙後端支持部
６３    用紙案内面
【図１】
2014056084.tif 000003
【図２】
2014056084.tif 000004
【図３】
2014056084.tif 000005
【図４】
2014056084.tif 000006
【図５】
2014056084.tif 000007